(57)【要約】  選択的な湿式／乾式清掃用清掃システム（２０）が開示される。清掃システム（２０）は、流体リザーバ（３０）保持クレードル（３６）を画定するハンドル（２４）と、清掃用具（２８）を収容すべく構成され、移動可能に取り付けられた支持部材（２６）とを含む。ハンドル（２４）および支持部材（２６）を回動可能に配置（８２、５４）することにより、液体が清掃対象面または清掃用具（２８）のいずかに選択的に塗布される。
2008528187.tif 000002
【特許請求の範囲】
【請求項１】
ａ）クレードルへのアクセスを可能とするように構成される開口部を有するハンドル部と、
ｂ）前記ハンドル部に移動可能に取り付けられる清掃パッド用の支持部材と、
を含む清掃具。
【請求項２】
前記支持部材は、第一の清掃位置と第二の清掃パッド液体塗布位置との間で移動可能である請求項１記載の清掃具。
【請求項３】
さらに、前記クレードル内に清掃用流体ディスペンサを含む請求項２記載の清掃具。
【請求項４】
前記清掃用流体ディスペンサはポンプ式スプレーボトルを含む請求項３記載の清掃具。
【請求項５】
前記清掃用流体ディスペンサは可撓性ポーチと取付け可能なスプレーノズルとを含む請求項３記載の清掃具。
【請求項６】
清掃パッド用の前記支持部材が１対の平行な取付け部材を含む請求項１記載の清掃具。
【請求項７】
前記取付け部材が相互に１．２５インチ離間されている請求項６記載の清掃具。
【請求項８】
平行な前記取付け部材が前記取付け部材の上側表面から突出する少なくとも１つの垂直に延出する清掃パッド用の保持タブを含む請求項６記載の清掃具。
【請求項９】
前記保持タブは略垂直方向に延出する第一の壁と、前記第一の壁の上端から前記取付け部材の遠位端に向けて傾斜する第二の傾斜壁とを含む請求項８記載の清掃具。
【請求項１０】
清掃パッド用の前記支持部材が一端に円形回動部材を含み、前記円形回動部材が前記ハンドル部の回動部材収容キャビティ内にフィットするように構成される請求項１記載の清掃具。
【請求項１１】
前記円形回動部材が複数の切欠きを含み、前記ハンドルが前記回動部材収容キャビティ内に向けて下方向に突出する半可撓性の係合タブを含み、前記係合タブは、清掃パッド用の前記支持部材の選択的な回動のために前記切欠きにフィットするように構成される請求項１０記載の清掃具。
【請求項１２】
前記円形回動部材が清掃位置に対応する第一の切欠きと、液体塗布位置に対応する第二の切欠きと、収容位置に対応する第三の切欠きと、を含む請求項１１記載の清掃具。
【請求項１３】
前記ハンドル部と清掃パッド用の前記支持部材との間の角度が前記液体塗布位置において約４５°〜６８°である請求項１２記載の清掃具。
【請求項１４】
前記ハンドル部と清掃パッド用の前記支持部材との間の角度が前記液体塗布位置において約５５°〜６８°である請求項１２記載の清掃具。
【請求項１５】
前記流体ディスペンサは前記流体ディスペンサを前記クレードル内に位置合わせするように構成される機構を含む請求項３記載の清掃具。
【請求項１６】
前記機構は平坦部を含むキャップであり、前記平坦部は前記クレードル内で前記流体ディスペンサと位置合わせするように構成される請求項１５記載の清掃具。
【請求項１７】
前記クレードルは少なくとも１つのフランジを含み、前記少なくとも１つのフランジは前記平坦部との選択的係合により前記クレードル内で前記キャップと位置合わせされるべく構成される請求項１６記載の清掃具。
【請求項１８】
さらに、清掃パッド用の前記支持部材に取外し可能に取り付けられる清掃パッドを含む請求項１記載の清掃具。
【請求項１９】
前記清掃パッド支持部材は少なくとも１つの長手方向に延出する取付け突起を含み、前記清掃パッドは前記取付け突起を収容し前記清掃パッドを前記清掃パッド支持部材に固定するように構成される少なくとも１つのスリーブを画定する請求項１９記載の清掃具。
【請求項２０】
（ａ）流体リザーバを収容する内側凹部を画定するハンドルと、前記ハンドルに回動可能に取り付けられるとともに、清掃位置から後ろ方向に回動可能である清掃媒体支持部と、を含む清掃具と、
（ｂ）前記清掃媒体支持部に取り付けられる清掃媒体と、
（ｃ）前記クレードル内で前記ハンドルに取り付けられるとともに、流体を清掃対象面および前記清掃媒体の前記表面に塗布することが可能な流体リザーバと、
を含む清掃システム。
【請求項２１】
前記清掃媒体支持部は１対の平行な横方向に延出する取付け突起を含む請求項２０記載の清掃システム。
【請求項２２】
前記取付け突起は前記取付け突起から略垂直に延出する複数の凸起を含む請求項２１記載の清掃システム。
【請求項２３】
前記凸起は前記ハンドルから離れるにつれ傾斜する傾斜側を含む請求項２２記載の清掃システム。
【請求項２４】
前記支持部が一端に回動部材を含み、前記回動部材が前記ハンドルから下方向に突出する半可撓性の係合タブを収容するように構成される複数の窪みを含む請求項２０記載の清掃システム。
【請求項２５】
前記回動部材は清掃位置を画定する第一の窪み、液体塗布位置を画定する第二の窪み、および収容位置を画定する第三の窪みを含む請求項２４記載の清掃システム。
【請求項２６】
前記液体塗布位置における前記ハンドルと清掃媒体支持部との間の角度が４５°〜６８°である請求項２５記載の清掃システム。
【請求項２７】
前記液体塗布位置における前記ハンドルと清掃媒体支持部との間の角度が５５°〜６８°である請求項２５記載の清掃システム。
【請求項２８】
前記清掃位置における前記ハンドルと清掃媒体支持部との間の角度が約６３°である請求項２５記載の清掃システム。
【請求項２９】
前記流体リザーバは前記ハンドルと一体化されたスプレーノズルおよび流体容器を含む請求項２０記載の清掃システム。
【請求項３０】
前記流体リザーバは対向する平坦な側壁を含み、前記側壁は前記凹部内で前記流体リザーバと位置合わせするように構成される請求項２０記載の清掃システム。
【請求項３１】
清掃用流体リザーバ用の収容ベイを画定するハンドルと、
前記ハンドルに回動可能に取り付けられるとともに清掃位置から収容位置へ回動可能である清掃パッド用の支持部であって、前記ハンドル上に実質上折りたたまれる清掃パッド用の支持部と、
ファイバと少なくとも１つの不織布シートとの組み合わせを有する清掃パッドと、
前記収容ベイ内で前記ハンドルに取り付けられる流体リザーバであって、前記収容ベイ内でスプレーキャップと位置合わせするように構成される対向する平坦部を有するスプレーキャップを含む流体リザーバと、
を含む清掃キット。
【請求項３２】
ハンドルと、
前記ハンドルに接続された回動結合部と、
前記回動結合部に接続されるとともに前記ハンドル下部に折り畳まれることが可能な清掃ヘッド部と、
を含む表面清掃用の器具。
【請求項３３】
さらに、前記器具に接続されるとともに前記清掃ヘッド上に流体をディスペンスすることが可能な流体ディスペンサを含む請求項３２に記載の器具。
【請求項３４】
ａ）流体リザーバ用クレードルを画定するハンドル部と、
ｂ）前記ハンドル部に取り付けられる清掃用具支持部材と、
を含む湿式、湿潤または乾式清掃用の清掃具。
【請求項３５】
前記清掃用具支持部材は前記ハンドル部に移動可能に取り付けられる請求項３４記載の清掃具。
【請求項３６】
前記清掃用具支持部材は前記ハンドル部に回動可能に取り付けられる請求項３５記載の清掃具。
【請求項３７】
前記清掃用具支持部材は前記ハンドル部に摺動自在に取り付けられる請求項３５記載の清掃具。
【請求項３８】
前記ハンドル部は頂部、底部、および前記クレードル内へのアクセスを可能とするように構成される開口部を有する請求項３４記載の清掃具。
【請求項３９】
前記清掃用具支持部材は第一の清掃位置と第二の清掃パッド液体塗布位置との間を移動可能な請求項３５記載の清掃具。
【請求項４０】
さらに、前記クレードル内に脱着可能な清掃用流体ディスペンサを含む請求項３４記載の清掃具。
【請求項４１】
前記清掃用具支持部材は一端に円形回動部材を含み、前記円形回動部材は前記ハンドル部の回動部材収容キャビティ内にフィットするように構成される請求項３６記載の清掃具。
【請求項４２】
前記円形回動部材が複数の切欠きを含み、前記ハンドルが前記回動部材収容キャビティ内に向けて下方向に突出する半可撓性の係合タブを含み、前記係合タブは、前記清掃用具支持部材の選択的な回動のために前記切欠きにフィットするように構成される請求項４１記載の清掃具。
【請求項４３】
前記切欠きへの半可撓性の前記係合タブの前記係合により聴覚的信号が生成される請求項４２記載の清掃具。
【請求項４４】
前記ハンドル部上の回動点は前記クレードル内で流体リザーバにより画定される水平面より下に位置する請求項３６記載の清掃具。
【発明の詳細な説明】
【技術分野】
【０００１】
本発明はハンドヘルドダスターやダストモップなどの清掃器具の分野に関する。より詳しくは、本発明は清掃用具を取り付ける支持アームに取り付けられた流体リザーバを収容するクレードルを画定するハンドルを有する清掃システムに関する。システムは全体として湿式、湿潤または乾式清掃またはダスト除去に利用できる。
【背景技術】
【０００２】
数十年間にわたり、ハンドヘルド羽ぼうき、雑巾およびその他の清掃用具が、ドレッサー、コーヒーテーブルなどの家具、コンピュータなどの電化製品、照明器具、内壁、まぐさ石（ｌｉｎｔｅｌ）に付着したダストを除去するための清掃具として使用されてきた。したがって、ダストや汚れが清掃用具に付着するよう、雑巾、クロスまたはその他の清掃用具で表面を擦ることで床、家具、および家庭におけるその他の面からダストや汚れを除去することが一般的に知られている。
【０００３】
この半世紀でダスト除去や同様の清掃作業を行う際に個人を援助する新しい清掃用具が開発された。ハンドヘルドダスターおよびその他の清掃用具は当該技術で概ね知られているが、現行の市販の設計には数多くの欠点が存在する。例えば、米国特許出願公開番号第ＵＳ２００４／００３４９５６Ａｌ号、米国特許第６,８１３,８０１号、米国特許第５,９５３,７８４号および米国特許第６,５５０,０９２号（当該参考文献を参照することによって本願明細書に援用する）は、使い捨て清掃パッドを組み込んだ種々のハンドヘルド清掃器具を開示している。これらの装置は、所望の用途によってはある程度適切であるものの、明らかな限界がある。例えば、上記参考文献はいずれも便利な収容構成を提供しない。逆に、ほとんどの従来技術のハンドヘルド清掃用具を保管するために、ハンドルを清掃パッド支持部材から物理的に取り外す必要がある。また、これらの既知の装置の取付け部は圧入された部材を含むことが多いが、このような部材は時間が経つと脆弱化し、清掃中に支持部材がハンドル部から外れる事態を招く。
【０００４】
また、ダスト除去またはその他の清掃中に清掃パッドを支持部材上に適切に保持する保持手段は未だ開発されていない。例えば、米国特許出願公開番号第ＵＳ２００４／００３４９５６Ａ１に開示されたハンディモップは、平行な取付けプレートの横側に沿った弓状突起を開示する。アーチ形表面とこれらの突起の間隔は清掃中にダストパッドをプレート上に適切に保持しない場合がある。使用者が通常のダスト除去または清掃作業を行う際、パッドがプレートからずれてしまうことが多い。
【０００５】
一般的に、ハンドヘルドダスターおよびモップに対する改良の大部分は清掃器具の基本的な機械的構成要素の改良に関するものであった。これらの改良は乾式ダスト除去または清掃用の廉価で硬質な用具の提供に関連する。しかし、選択的な湿式、湿潤または乾式ダスト除去を可能とするハンドヘルド清掃用具を提供しようとする試みは従来技術にはなかった。
【０００６】
ほとんどの清掃パッドまたはシステムに水またはその他の清掃溶剤を加えることで、清掃器具がダストおよびその他の屑の吸着効率が向上することが知られている。このことは知られているものの、現在のところ使用者が湿式、湿潤または乾式ダスト除去を片手で切り換えることができる、清掃用具上でアクセス可能な取付け式の水または清掃用流体リザーバを含む、ハンドヘルド清掃システムは存在しない。従来技術のダスト除去および清掃器具では、使用者が湿式ダスト除去または清掃を行おうとする場合、別体のスプレーボトルまたはその他の液体塗布手段を入手することが必要であった。
【発明の開示】
【発明が解決しようとする課題】
【０００７】
湿式もしくは湿潤式ダスト除去あるいは清掃システムに対する需要に照らして、このようなシステムに関連するクロスの改良も必要である。既知の使い捨てダスト除去または清掃用クロスの多くは水およびダストを十分に吸収しないファブリックを含んでいた。ダスト除去用クロスに対する改良が当該技術で開示されているものの、清掃システムの液体の利点を最大限に促進しながら、ダスト除去パッドの湿式および乾式吸収量を最大化する改良された清掃ファイバおよび配置に対する需要がある。
【課題を解決するための手段】
【０００８】
上述のごとく、また本願明細書において実施され広く説明される本発明にしたがい、清掃システム、ならびにかかるシステムを利用し製造する方法が、当業者が本発明を実施し利用できるよう詳細に開示されている。
【０００９】
好適な一実施形態において、清掃具は頂部と、クレードルを画定する底部と、クレードルおよびハンドル部に移動可能に取り付けられる清掃パッド支持部材へのアクセスを可能とする、中央に位置する開口部と、を有するハンドル部を含む。別の実施形態において、支持部材は第一の清掃位置、第二の清掃パッド液体塗布位置、および第三の収容位置の間で移動可能である。さらに別の実施形態において、清掃具はクレードルに脱着可能な清掃用流体ディスペンサを含む。清掃用流体ディスペンサとして、例えば、ポンプ式スプレーボトル、缶もしくはパック、エアゾールボトル、缶もしくはパック、ハンドルを握ることで流体をディスペンスする変形可能なハンドル／リザーバ、噴射トリガを備えるリザーバ、あるいはスプレーノズルに取付け可能な可撓性ポーチが挙げられる。さらに別の実施形態において、清掃具は平行な取付け部材を含む。取付け部材は、その上面から突出する少なくとも１つの垂直に延出する清掃パッド保持タブを含む。
【００１０】
さらに別の実施形態において、清掃パッド支持部材は一端に、ハンドル部の回動部材を収容するクレードルに嵌合すべく構成される円形回動部材を含む。円形回動部材は複数の切欠きを含んでもよく、ハンドルは回動部材を収容するクレードル内に下方向に突出する半可撓性係合タブを含んでもよい。回動はリビングヒンジによるものであってもよい。このような構成によりばねや固定具などの追加部品が不要となり、製造および組立てコストが低減される。係合タブは清掃支持部材が選択的に回動するよう、切欠き内に嵌合すべく構成される。別の実施形態において、回動部材は清掃位置に対応する第一の切欠き、液体塗布位置に対応する第二の切欠き、および収容位置に対応する第三の切欠きを含む。切欠きと係合タブとの相互作用により、支持アームが機能的位置のうち１つの位置にあることを使用者に通知する聴覚的クリック音が生成される。
【００１１】
さらに別の好適な実施形態において、流体ディスペンサはクレードル内で流体ディスペンサと位置合わせすべく構成されるスプレーキャップを含む。キャップは平坦部を含んでもよい。クレードルは、フランジが対向する平坦部との選択的係合を通じてクレードル内でキャップと位置合わせされるよう、１対の対向するフランジを含んでいてもよい。
【００１２】
別の好適な実施形態において、清掃具はファイバと少なくとも１つの不織布シートとの組み合わせからなる清掃パッドを含む。清掃パッド上のファイバは、清掃パッドが支持部に取り付けられたときにハンドルに最も近いファイバが支持部材の自由端に最も近いファイバよりも短くなるよう、テーパ状とされていてもよい。ファイバは水性流体の自発的な輸送を可能とするポリマーからなっていてもよい。ファイバがタウの形態をとり、非円筒形であるか、断裂されていることが望ましい。
【００１３】
別の実施形態において、清掃システムは流体リザーバを収容する内側凹部を画定するハンドル（ｄｅｆｉｎｉｎｇ）と、該ハンドルに回動可能に取り付けられる清掃媒体支持部と、を有する清掃具を含む。支持部は清掃位置から後ろ方向に回動可能である。システムは、清掃媒体支持部に取り付けられる清掃媒体と、クレードル内でハンドルに取り付けられる流体リザーバとをさらに含むことが望ましい。リザーバは流体を清掃対象面および清掃媒体の表面に塗布できる構成である。
【００１４】
本発明のさらに別の実施形態において、清掃具とともに用いられる、垂直に延出する突起を有する交換可能な清掃パッドは、ファイバと少なくとも１つの不織布シートの組み合わせを含む。
【００１５】
別の好適な実施形態において、スプレーディスペンサを収容すべく構成されたハンドルの内部にクレードルを画定するハンドル部を含む清掃具に用いられる交換可能なスプレーディスペンサは、スプレーディスペンサのねじれを防止するため、クレードル内で１対のレール内に嵌合すべく構成される、１対の対向する平坦部を有するキャップを含む。平坦部は平行であってもよく、テーパ状に形成されてもよい。
【００１６】
好適な清掃キットは、清掃用流体リザーバ収容ベイを画定するハンドル、ハンドルに回動可能に取り付けられる清掃パッド支持部、ファイバと少なくとも１つの不織布シートの組み合わせを有する、２つの利用可能表面を備えた清掃パッド、およびベイ（ｂａｙ）内でハンドルに取り付けられる流体リザーバを含む。流体リザーバは収容ベイ内でスプレーキャップを位置決めすべく構成される対向する溝を含む。
【００１７】
好適な清掃方法は、頂部、底部、および頂部から底部へのアクセスを可能とする開口部を有するハンドルと、ハンドル部に回動可能に取り付けられる清掃パッド支持部と、を有する清掃具を提供することを含む。該方法は、さらに、清掃パッドを清掃パッド支持部上に配置するステップと、流体ディスペンサを流体ディスペンサクレードルに挿入するステップと、清掃パッドを清掃対象面上に位置決めするステップと、清掃パッドを清掃対象面上で移動させるステップと、を含む。
【００１８】
好適な清掃具の製造方法は、２つの部品すなわち頂部および底部によりハンドルを形成することを含む。頂部および底部はキャビティと、頂部から底部へのアクセスを可能とすべく構成された開口部とを画定する。また、該方法は、清掃パッド支持部をハンドル部に回動自在に取り付けることを含む。あるいは１部品のシェルを利用してもよい。
【００１９】
別の実施形態において、表面清掃用装置はハンドル、ハンドルに接続される回動結合部、および回動結合部に接続されるとともに、収容および包装を容易にするためハンドル下部に折り畳まれることが可能な清掃ヘッド部を含む。清掃ヘッド部はクロスの両面を利用できるよう、各種方向に回動できる。
【００２０】
別の実施形態において湿式、湿潤または乾式清掃用清掃具は、流体リザーバ用クレードルを画定するハンドル部と、ハンドル部に取り付けられる清掃用具支持部材とを含む。清掃用具支持部材はハンドル部に対し移動可能に取り付けられてもよい。清掃用具支持部材は一端に、ハンドル部の回動部材収容キャビティ内に嵌合すべく構成される円形回動部材を含んでいてもよい。円形回動部材は複数の切欠きを含んでもよく、ハンドルは回動部材収容キャビティ内に向けて下方向に突出する半可撓性係合タブを含んでもよい。係合タブは、清掃支持部材の選択的な回動のために切欠きに嵌合すべく構成される。一実施形態において、半可撓性係合タブを切欠きに係合させることで、係合タブが適切な位置に固定されたことを使用者に通知する聴覚的信号が発生される。
【００２１】
別の実施形態において、ハンドル部上の回動点はクレードル内で流体リザーバにより画定される水平面よりも下に位置する。ここで、ハンドル内の流体リザーバは、ハンドルの人間工学的に（ｅｒｇｏｎｏｍｉｃａｌｌｙ）利点を有する設計を完成してもよい。
【００２２】
最後の実施形態において、湿式、湿潤または乾式清掃用清掃システムは、人間工学に基づいたハンドル部と、ハンドル部に取り付けられる清掃媒体支持部アームと、支持アームに取り付けられる清掃媒体と、清掃媒体または清掃対象面に清掃液体を輸送することが可能な液体輸送システムと、を含む。液体輸送システムはハンドル部を形成する流体リザーバであってもよい。
【００２３】
本発明の上記およびその他の態様および目的は、以下の説明と添付の図面とを参照しながらより深く理解される。但し、本発明の好適な実施形態を示す以下の説明はあくまで例示の目的で示されるもので、本発明を限定しない。本発明の精神から逸脱することなく本発明の範囲内で多くの変更や修正を行うことができる。本発明はこれらの修正をすべて含むものとする。
【発明を実施するための最良の形態】
【００２４】
本発明を構成する利点および特徴の明確な概念、ならびに本発明の備える典型的な機構の構成および動作の明確な概念は、添付の、本願明細書の一部を形成する図面に示される例示的実施形態を参照することで、より明白となる。実施形態は本発明を限定しない。複数の図面にわたって同様の参照番号は同一の要素を示す。
【００２５】
図面に示される本発明の好適な実施形態を説明するに当たり、明確を期すために特定の専門用語が使用されている。なお、本発明は選択された特定の用語に限定されず、また、各特定の用語は同様の目的を達するために同様に動作する技術的相等物を含む。例えば、単語を接続した用語やそれと同様の用語が多用される。これらの用語は直接接続されることに限定されないが、当業者が相等物であるとみなす他の要素を通じた接続を含む。
【００２６】
以下の説明において、実施形態を参照しながら本発明とその各種特徴、利点の詳細をさらに説明する。実施形態は本発明を限定しない。
【００２７】
１  システム概観
本発明の基本的な形態は、流体リザーバまたは液体輸送システム、および清掃パッドまたはその他の清掃用具を支持可能な清掃パッド支持ヘッドを含む湿式、湿潤または乾式清掃に利用される清掃システムである。清掃パッド支持ヘッドは移動可能であり、図示される実施形態では回動可能な結合を含む。清掃システムは清掃パッドもしくは清掃対象面に直接流体を塗布することを可能とする。清掃システムは流体リザーバ収容クレードルを画定するハンドルと、回動可能に取り付けられる清掃パッド支持部材と、を含む清掃具を含むことが望ましい。これにより、従来の清掃器具では不可能であった、湿式、湿潤または乾式清掃の選択を可能とする片手で操作される道具が提供される。
【００２８】
２  好適な実施形態の詳細な説明
以下、重要な各種特徴を示すための例を挙げて本発明の特定の実施形態をさらに説明する。例は本発明を限定するものではない。例は本発明の実施方法に関する理解を深め、当業者が本発明を実施できるようにする目的でのみ示される。したがって、以下の例は本発明の範囲を限定するものではない。
【００２９】
まず図１および図２を参照すると、本発明の好適な一実施形態による本発明の清掃システム２０が図示されている。清掃システム２０は、ハンドル部もしくはハンドル２４、および回動可能に取り付けられる清掃パッド支持部材、清掃用具支持部材もしくは清掃媒体支持部２６、液体輸送システム、清掃用流体ディスペンサもしくはリザーバ３０、および清掃パッド支持部材２６を介して清掃具２２に取り付けられる清掃パッドもしくは清掃媒体２８を含む、清掃具２２により概ね構成される。
【００３０】
ハンドル部２４は、使用者の手の平の内側に快適にフィットすべく構成される、曲面を有する人間工学的に設計された部材であることが望ましい。ハンドル部２４は一体頂部２９、第一の側壁２１ａ、第二の側壁２１ｂ、後壁２３および底部３１を含む。ハンドル部２４は各種合成樹脂、プラスチックあるいはその他の適切な材料で構成できる。好適な実施形態では、ハンドル部２４はポリプロピレンで構成される。ハンドル部２４は使用目的に応じて各種サイズに構成できるが、好適な実施形態では、ハンドル部２４は長さ約８．５インチ、幅約１．３インチ、高さ約１．７インチである。好適な寸法とすることで、清掃システム２０の使用、操作、包装、出荷、および収容が容易となり、全体的にさらに人間工学に基づいた設計とすることができる。ハンドル部２４は、美的外観を得る目的で様々に着色して構成できる。透明材料で構成してもよい。
【００３１】
以下に詳述するように、ハンドル部２４は流体リザーバ収容クレードル、凹部もしくはベイ３６を画定する。好適な実施形態では、流体ディスペンサもしくはリザーバ３０をクレードル３６に挿入すると、ハンドル部２４の人間工学に基づいた設計もしくは形状が完成する。使用者の手の平はハンドル部２４の頂部２９を越えて延出し、使用者の指の少なくとも一部が流体リザーバ３０の周囲に延出する。また、ハンドル部２４の好適な曲面を有する人間工学に基づいた設計は、回動部材収容キャビティ５０により画定される回動点が、クレードル３６内の流体リザーバ３０により画定される水平面よりも下に位置すべく構成される。このような配置とすることで、後述するように流体塗布を最大限に行うことができる。
【００３２】
ハンドル部２４の中央近傍には、ハンドル部２４を貫通しハンドル部の底部３１まで延在する開口部もしくは穴３２が設けられている。図示される実施形態では、開口部３２はハンドル部２４の前端２５における回動部材収容キャビティ５０から約２．５インチの位置に設けられている。図４に示すように、開口部３２を設けることで、使用者はハンドル部２４の底部３１に画定される流体リザーバ収容クレードル、凹部もしくはベイ３６に片手でアクセスできる。ハンドル部２４の前端２５近傍の回動部材収容キャビティ５０上方に、下方向に延出して回動部材収容キャビティ５０内に入る、後述する片持ち回動係合タブ３８が設けられている。
【００３３】
図２は、清掃システム２０の流体リザーバ３０の好適な一実施形態を図示している。図示される実施形態では、流体リザーバ３０は水または専用の流体を保持すべく構成された流体ディスペンサもしくはポンプ式スプレーボトルの形態をとる。流体は様々な既知の製品で構成できる。流体は市販のプレッジマルチサーフェスクリーナ（Ｐｌｅｄｇｅ（登録商標）Ｍｕｌｔｉ-Ｓｕｒｆａｃｅ  Ｃｌｅａｎｅｒ）、プレッジウッドアンドガラスクリーナ（Ｐｌｅｄｇｅ（登録商標）Ｗｏｏｄ  ａｎｄ  Ｇｌａｓｓ  Ｃｌｅａｎｅｒ）、エンドダスト（ＥｎｄＤｕｓｔ（登録商標））、ファンタスティック（Ｆａｎｔａｓｔｉｃ（登録商標））汎用クリーナ、ウィンデックス（Ｗｉｎｄｅｘ（登録商標））ガラスクリーナ、オースト（Ｏｕｓｔ（登録商標））またはライソル（Ｌｙｓｏｌ（登録商標））などの抗菌剤、グレード（Ｇｌａｄｅ（登録商標））などの芳香剤、アーマーオール（Ａｒｍｏｒ  Ａｌｌ（登録商標））などの革またはビニール用トリートメント剤、スコッチガード（Ｓｃｏｔｃｈ  Ｇｕａｒｄ（登録商標））などのファブリック保護剤、Ｓ．Ｃ．ジョンソン・エンド・サン（Ｓ．Ｃ．Ｊｏｈｎｓｏｎ＆Ｓｏｎ、Ｉｎｃ．（米国ウィスコンシン州ラシーン））社の製造するファブリックフレッシュナ、もしくはファブリーズ（Ｆａｂｒｅｚｅ（登録商標））から選択されることが望ましい。あるいは、流体として任意の汎用クリーナ、油又は水ベースのダスト防止剤、静電気防止剤、細菌防止剤、抗菌剤、殺菌剤および脱臭剤、ダスト除去剤、ガラスクリーナ、家具用つや出し剤、革またはビニール用トリートメント剤、その他の清掃剤、ワックス、つや出し剤、柔軟剤、摩擦強化化合物、芳香剤、食器用洗剤、石鹸、防虫剤、エクスフォリエータ（角質や毛穴の汚れを除去する化粧品）あるいはその他のパーソナルケア製品、スポンジ画または他の用途に用いられる絵の具、水なし（ｗａｔｅｒ−ｏｕｔ）エマルジョン、油なし（ｏｉｌ−ｏｕｔ）エマルジョン、ダストダニキラーもしくは忌避剤、研磨クリーナ、靴磨き剤、ペット用衛生製品などが挙げられるが、これらに限定されない。
【００３４】
図２に示すように、好適なスプレーボトルは一体底５１、側壁５３、第二のセクション５５および第三のセクション５９を有する略円筒形のボトルである。スプレーキャップもしくはノズル６１がスプレーボトル頂部に螺合または圧入される。スプレーキャップ６１は、流体リザーバ収容クレードル３６のフランジ７１ａ、７１ｂと選択的に係合すべく構成された１対の対向する平坦部６３ａ、６３ｂを含む。あるいは、同様のロック機構を形成すべくタブおよび溝のシステムを用いてもよい。あるいは、スプレーキャップ６１は片側のみのフラットボタンまたはテーパ状ボタンを含んでいてもよい。流体リザーバ３０は、図示されたスプレーボトルの他にも様々な形態をとることができる。例えば、圧搾、噴射ガンまたは取付け可能なスプレーノズルを備えた可撓性ポーチにより流体をディスペンスする、エアゾールパッケージ、変形可能なハンドルもしくはリザーバの形態をとることができる。図中、流体リザーバ３０はハンドル部２４のクレードル３６内に嵌合しているが、流体リザーバが、取り付けられる清掃システム（すなわち回動部材および取付け部材）の上部のみを有するシステムのハンドルを形成する構成も可能である。
【００３５】
なお、スプレーキャップ６１の対向する平坦部６３ａ、６３ｂはハンドル部２４内に密嵌され、さらに清掃システム２０内において流体リザーバ３０を適切に方向付ける役割を果たす。あるいは、流体リザーバ３０は流体リザーバ収容クレードル３６内に噛合・密嵌されることを可能とする独特に設計された外形を含んでいてもよい。
【００３６】
図５は流体リザーバ収容クレードル３６を画定するハンドル部２４の底部３１を図示している。一般的にクレードル３６は、好適な実施形態の流体リザーバ３０を収容すべく構成される下部支持部３７、ハンドル部側壁２１ａ、２１ｂおよび２つのＵ字型支持部もしくはレール４４、４６により画定される。好適な実施形態では、下部支持部３７はハンドル部２４の後壁２３の内側から延出する複数のリブ３９からなる。リブ３９の前端は流体リザーバ３０の底部５１を支持すべく構成された下部支持部３７を画定する。好適な実施形態では、リブ３９は流体リザーバ３０の底部の寸法と略等しい長さを有する中央リブ４５を含む。残りのリブ３９の長さは徐々に短くなり、中央リブ４５から離れるにつれテーパ状とされ、流体リザーバ３０の円形底部の残りの部分を支持する。図９にわかりやすく示されているように、下部支持部３７近傍において１対の三角形の保持タブ４２ａ、４２ｂがクレードル３６の対向側から延出している。保持タブ４２ａ、４２ｂは流体リザーバ３０の下部側壁５３と摩擦係合しこれを保持すべく構成されている。保持タブ４２ａ、４２ｂから前方向に延出する側壁２１ａ、２１ｂは、さらに流体リザーバ収容クレードル３６の側部を画定し、流体リザーバ３０の側壁５３の周囲に密嵌されるべく離間されている。
【００３７】
図示された好適な実施形態では、流体リザーバ３０はハンドル部２４のクレードル３６に圧入もしくは摩擦嵌合されるが、ハンドル部２４内に流体リザーバ３０を保持するための別の構成も利用できる。例えば、ハンドル部２４内に流体リザーバ３０を保持するため、ベルクロ（Ｖｅｌｃｒｏ（登録商標））またはゴムバンドをハンドル部２４のセグメントに含めてもよい。流体リザーバをハンドル部内に保持するための他の支持構造または保持機能を、ヒンジまたは別の方法によりハンドル部に取り付けてもよい。
【００３８】
流体リザーバ収容クレードル３６の前端近傍に、第一のＵ字型ボトルネック収容支持部４４が設けられている。第一のボトルネック収容支持部４４は好適な実施形態の流体リザーバ３０の周囲に圧入され、流体リザーバ３０を収容し、保持すべく構成される。図６および図８に示すように、第一のボトルネック収容支持部４４はリザーバ３０の第二のセクション５５と第三の５７セクションの結合部５９近傍において流体リザーバ３０の周囲に圧入されるべく構成されている。
【００３９】
第一のボトルネック収容支持部４４のやや前部に第二のＵ字型スプレーキャップ収容支持部４６が設けられている。スプレーキャップ収容支持部４６は流体リザーバ３０のスプレーキャップ６１の周囲に圧入され、これを保持し方向付けるべく構成されている。図７からよくわかるように、スプレーキャップ収容支持部４６は対向する側壁２１ａ、２１ｂの内側から延出する１対のフランジ７１ａ、７１ｂにより画定される。フランジ７１ａ、７１ｂは、リザーバがクレードル３６内部に配置されると、流体リザーバスプレーキャップ６１の平坦部６３ａ、６３ｂの周囲に圧入されるべく構成される。フランジ７１ａ、７１ｂと平坦部６３ａ、６３ｂとが密嵌することで、スプレーキャップ６１がクレードル３６から離れる方向を向くように、スプレーキャップ６１が流体リザーバ収容クレードル３６内に適切に方向付けられる。開口部３２の前には、回動部材収容キャビティ５０に向けて前方向に延出する複数の構造的支持リブ４８が形成されている。
【００４０】
ここで図６および図１１を参照すると、ハンドル部２４の底部３１の前端２５に回動部材収容キャビティ５０が形成されている。回動部材収容キャビティ５０はハンドル部２４の前端２５に位置する、対向する一体耳４９ａ、４９ｂの間に画定される。耳４９ａ、４９ｂは、組み立ての際に内側キャビティ表面上に円形回動部材８２の軸８０ａ、８０ｂと摺動可能に係合すべく構成された対向する溝５２ａ、５２ｂを含む。溝５２ａ、５２ｂの幅は、円形回動部材８２の軸８０ａ、８０ｂの寸法と等しいかわずかに広くなっている。なお、溝５２ａ、５２ｂと回動部材収容キャビティ５０は、様々な別の清掃パッド支持部材２６、または遠位端に取り付けられる回動部材８２を有するその他の清掃用具を収容すべく構成されている。
【００４１】
溝５２ａ、５２ｂの末端に、円形回動部材８２の軸８０ａ、８０ｂを収容し、その回動動作を可能とするほぞ穴５４が設けられている。カーブしたスロット８３が溝５２ａ、５２ｂから横方向に延在し、回動部材８２から延出する円形回動保持タブ８５の移動を可能とすべく構成された通路を画定する。回動部材収容キャビティ５０の前端の対向する側に、回動部材８２上に配置された円形回動保持タブ８５と係合しこれを収容すべく構成された円形の回動保持タブ穴８７が設けられている。
【００４２】
弾性的にバイアスされた半可撓性回動係合タブ３８が、ハンドル部２４の頂部２９から下方向に延出して回動部材収容キャビティ５０内に入る。以下に詳述するように、係合タブ３８はハンドル部２４に取り付けられる第一の端部３９と、回動部材８２の外面の切欠き１０２、１０４、１０６と係合すべく構成される第二の自由端９１とで構成される。
【００４３】
ハンドル部２４の回動部材収容キャビティ５０内には清掃パッド支持部材２６が取り付けられている。清掃パッド支持部材２６は一体形成された円形回動部材８２、連結部９３、および全体として参照番号９２で示される支持ヘッドからなる。円形回動部材８２は横方向の対向側に一体軸８０ａ、８０ｂを含む。図１１からよくわかるように、軸８０ａ、８０ｂはほぞ穴５４内に嵌合すべく構成されるとともに、穴内で回転自在に回動する。回動部材８２はさらに円形回動保持タブ９５を含む。円形保持タブ９５は保持タブ穴８７内に嵌合すべく構成されるとともに、システムを清掃位置に支持する。回動部材８２は清掃パッド支持部材２６の選択的位置に対応する３つの切欠きもしくは窪み１０２、１０４、１０６を画定する。清掃位置切欠き１０２、液体塗布切欠き１０４および収容位置切欠き１０６は回動部材８２の外面上に画定される。通常、好適な回動アセンブリは回転するために約２〜３ｌｂｆの回動力を要する。
【００４４】
連結部９３および支持ヘッド９２が回動部材８２と一体形成され、回動部材８２から延出する。当該技術で知られているように、好適な実施形態では、清掃パッド支持部材２６の支持ヘッド９２は清掃パッド２８のポケットもしくはスリーブ１１０ａ、１１０ｂと係合すべく構成された１対の平行な取付け部材もしくは取付け突起１０８ａ、１０８ｂを含む。取付け部材１０８ａ、１０８ｂは様々な構成で離間されていてもよいが、好適な実施形態では、取付け部材１０８ａ、１０８ｂの全幅は対向する外側縁から約１．２５インチである。取付け部材１０８ａ、１０８ｂは長さ約６．７５インチ、肉厚約０．７５インチ、幅約０．８０インチであることが望ましい。取付け部材１０８ａ、１０８ｂは、清掃パッド２８のスリーブ１１０ａ、１１０ｂへの挿入を容易とすべく構成される丸みを付けた先端１０７を画定する。なお、好適な実施形態では１対の取付け部材１０８ａ、１０８ｂを図示しているが、数多くの構成が利用できる。例えば、単一の、幅の広い取付け部材を用いてもよい。あるいは３つ以上の取付け部材を用いてもよい。
【００４５】
取付け部材１０８ａ、１０８ｂは、上面１０５から突出する複数の離間された清掃パッド保持タブ、突起（ｂａｒｂｓ）もしくは凸起１１２を含む。図示される実施形態では、保持タブ１１２は取付け部材１０８ａ、１０８ｂの上面から略垂直方向に延出する第一の壁１１４と、第一の壁１１４の上縁から取付け部材１０８ａ、１０８ｂの遠位端に向けて傾斜する第二の傾斜壁１１６とを有する三角形のタブである。タブ１１２は取付け部材１０８ａ、１０８ｂから約０．０５０インチ上方に位置することが望ましい。保持タブ１１２の独特の三角形の構成は２つの機能を果たす。傾斜壁１１６は組み立ての際に清掃パッド２８を取付け部材１０８ａ、１０８ｂ上に設置することを容易にし、垂直第一の壁１１４は清掃動作の際に清掃パッド２８を取付け部材１０８ａ、１０８ｂ上に保持する。
【００４６】
保持タブ１１２が独特の構成を有していることに加え、保持タブ１１２を取付け部材１０８ａ、１０８ｂ上に配置することで、清掃パッド２８が取付け部材１０８ａ、１０８ｂ上に保持される。図示される実施形態では、保持タブ１１２は交互に設けられ、前端タブ１１５、３つの中間タブ１１７および後端タブ１１９を含む。図示される実施形態では、各取付け部材１０８ａ、１０８ｂは５つの保持タブ１１２を含む。保持タブ１１２が相互に等距離離間された場合、好適な実施形態において示される交互構成で配置される場合と比べて保持機能が低下することが試験により示された。好適な実施形態では、第一のタブは１．０インチ、第二のタブは２．０インチ、第三のタブは２．５インチ、第四のタブは３．０インチ、第五のタブは４．０インチ、それぞれ丸みを付けた先端１０７から離間されている。
【００４７】
一実施形態において、取付け部材１０８ａ、１０８ｂは拡張可能、膨張可能、部分的に膨張可能のいずれであってもよく、あるいは膨張可能部を含んでいてもよい。膨張可能であることにより、清掃パッド２８が取付け部材１０８ａ、１０８ｂにより好適に嵌合し、また清掃パッド２８を取付け部材１０８ａ、１０８ｂから手を使わずに容易に取り外すことができる。
【００４８】
清掃パッド２８は当該技術で概ね知られており、清掃面１１１を画定するファイバと取付け部１１３との組み合わせで構成される。清掃パッド２８は、例えば、相互に溶接されていてもよい毛羽のある合成樹脂製不織布を複数含んでいてもよい。パッドはＰＰ、ＰＥ、ＰＥＴファイバからなるファイバを様々な重量割合で含んでいてもよい。図示される実施形態では、取付け部１１３は清掃パッド支持部材２６の１対のポケットもしくはスリーブ１１０ａ、１１０ｂを収容すべく構成される取付け部材１０８ａ、１０８ｂを画定する。清掃パッド２８は、日本のハソ社（Ｈａｓｏ  Ｃｏｒｐｏｒａｔｉｏｎ）の製造する、１〜４％の鉱油を含有する２０ｇ／ｓｑｍスパンレース布であることが望ましい。このような清掃パッドもしくはダスト除去パッドがＰＣＴ／ＪＰ２００４／１０５０７に開示されている（当該特許文献の全文を参照によって本願明細書に援用する）。
【００４９】
清掃システム２０が使用される際、全ての保持タブ１１２がスリーブ１１０ａ、１１０ｂ内に位置するよう、スリーブ状清掃パッド２８が取付け部材１０８ａ、１０８ｂに取り付けられる。よって、この構成において保持タブ１１２は清掃パッド２８に完全に包囲され、取付け部材１０８ａ、１０８ｂがアクセスするデリケートな家具やその他のアイテムに掻き傷をつけることが回避される。
【００５０】
清掃パッド２８の清掃面１１１は水性流体の自発的輸送を可能とするポリマーで構成されてもよい。このようなポリマーは、例えば、米国特許第５,７２３,１５９号、同第５,９７２,５０５号、同第５,２００,２４８号に開示されている（当該特許文献の全開示内容を参照によって本願明細書に援用する）。
【００５１】
なお、清掃パッドのポリマーファイバは清掃システム２０の各種性能・特性を高める様々な形状とすることができる。当該技術で知られているように、標準的な円形ファイバが利用できる。あるいは、清掃パッドの個々のファイバは緩いタウファイバ状に断裂（ｌｏｂｅｄ）していてもよい。独特の断裂構成とすることで個々のファイバ内にチャネルが形成され、個々のファイバの毛管現象が改善され全体的な清掃またはダスト除去表面積が増大し、湿式および乾式ダスト除去の全体効率が向上する。表面積が大きくなると溝もしくはチャネルに吸着する粒子の割合が高まり、断裂ファイバの溝内にダスト粒子が「トラップ」される。断裂ファイバは概ね改善されたダスト保持力を有し、標準的な円形ファイバと比較するとより効率的な湿式ワイピングおよび耐用期間を有する。さらに断裂ファイバは硬質に作製でき、アクセス領域が小さい場合でもワイピング圧力を向上できる。なお、本発明の断裂ファイバは多数のポリマーから構成でき、ＰＰ、ＰＥまたはＰＥＴは費用効率が最も高い選択肢とみなされている。また、アクリルもしくは生分解性ポリマーを利用できる。
【００５２】
さらに別の実施形態では、清掃パッド２８は多量のタウファイバに取り付けられる硬質ファイバもしくはストラットファイバを含んでいてもよい。この構成では、硬質ファイバ（通常約０．３ｍｍの範囲）は清掃パッド２８にかかる応力の大部分を支持する。タウはファイバの外側端において絡み合うことにより、より強いファイバと結合されてもよい。硬質ファイバにより、使用者にかかる力の感触がより望ましい、弾性のある清掃パッド２８が得られる。硬質ファイバは割れ目やブラインド、スクリーンなど、掃除が困難な領域の掃除にも利用できる。硬質ファイバのさらなる利点は、タウ体積を拡張させ、タウファイバに移動するダスト量を増大させる点である。
【００５３】
さらに別の実施形態において、清掃パッド２８は清掃パッド２８の残りのファイバに固着される微粒子状吸収性材料を含んでもよい。吸収性材料は既知の超吸収性ポリマーＳＡＰの形態をとってもよい。ＳＡＰは、例えば被覆として直接ファイバに塗布されもしくは変化によりファイバを形成するアクリル系ポリマーであってもよい。市販のＳＡＰの例として、一般的にＸ連鎖ポリアクリル酸もしくはＸ連鎖でんぷん−アクリル酸グラフトポリマー、水酸化ナトリウムもしくは苛性カリにより部分的に中和されたカルボキシル基が挙げられる。ＳＡＰは溶媒もしくは溶剤重合法、あるいは逆懸濁、乳化重合法などの処理により作製できる。上記ＳＡＰは例えば米国特許第６,１２４,３９１号に開示されている（当該特許文献の開示内容を参照によって本願明細書に援用する）。
【００５４】
吸収性材料はファイバの総吸収量を増大させ、ファイバが纏まって塊となることを防ぎ、ファイバの摩擦を高める。「真珠の数珠（ｓｔｒｉｎｇ  ｏｆ  ｐｅａｒｌｓ）」配置とすることによっても清掃パッド上に高吸収領域を戦略的に（ｓｔｒａｔｅｇｉｃａｌｌｙ）配置できる。例えば、清掃パッド２８の残りの部分と比べ、清掃パッド２８の前端により高い吸収性を付与したい場合、前端における微粒子吸収性材料の割合を高めてもよい。
【００５５】
清掃パッド２８は螺旋状に形成されたファイバを含んでもよい。このようなファイバはファイバ束をブレード上に引き伸ばし、あるいは同軸複合繊維を加熱することにより作製できる。得られる螺旋状（ｈｅｌｉｃａｌ）ファイバはより毛羽立ちの多い感触を示し、外観的にも魅力的であり、同時に（ファイバ量が少ないにも関わらず）体積が増大し、ダスターのダスト保持力が高まる。ファイバが螺旋状であることで、ばね効果により粗いファイバが軟らかい感触を有するという利点がある。さらに、ファイバは螺旋状性質を徐々に失うことから、清掃パッドの効果持続期間の表示としても機能する。
【００５６】
なお、ファイバ材料または構成は上述のものに限定されない。清掃パッドは各種ファイバとその他の既知のファイバとを戦略的に組み合わせて構成できる。例えば、清掃パッドは２５〜１００重量％の断裂ファイバから構成できる。
【００５７】
同様に、好適な実施形態では単一の清掃面１１１を開示するが、本発明はこのような単一の清掃面に限定されない。逆に、数多くの別の構成が本発明の範囲に含まれる。例えば、本発明のパッドは各種清掃機能を収容するための別のもしくは同様のファイバ構成を備える多数の清掃面を含んでいてもよい。一実施形態において、清掃パッド２８は２面を有してもよい。片側をダスト除去用クロス、もう片側を清掃用清掃パッド２８としてもよい。この構成は、パッドを「裏返し」、新しい清掃面を露出させることによっても得られる。あるいは、三角形またはその他の多数の面を有する清掃パッド２８も利用できる。円形清掃パッドも本発明の範囲に含まれる。通常、清掃パッド２８の様々な形状もしくは構成は、清掃パッド２８と選択されたファイバの各種特性を最大化すべく利用される。
【００５８】
上述したように、清掃パッド２８で使用されるファイバの配置およびタイプには各種選択肢が存在する。例えば、清掃パッド２８はポケットもしくはスリーブ１１０ａ、１１０ｂにより画定される領域の周囲に平坦な中央ストリップを含む概ね毛羽立ったパッドを含んでもよいが、これに限定されない。このような配置により表面積が増大され、効果が高まる。さらに、中央ストリップは清掃パッド２８の中央から下方向に延出する吸収ピロー（ｐｉｌｌｏｗ）またはチューブを含んでいてもよい。吸収ピローを設けることで清掃パッド２８上に吸収量の多い領域が与えられる。この他に、例えば、スポンジ、羽状構造、マイクロファイバもしくはセルロールフォームの各セクションを交互に設けてなる清掃パッドを含む各種組み合わせが考えられる。ウッドパルプが望ましい。
【００５９】
清掃パッド２８は、水の吸収性を高めるため親水性添加剤を含有する毛羽立った布を含んでもよい。親水性添加剤としてグリセリンおよびグリコールが挙げられるが、これらに限定されない。清掃パッド２８はレーヨン（Ｒａｙｏｎ）などの吸収性材料のみから構成されてもよい。
【００６０】
さらに、清掃パッド２８もしくは清掃パッド支持部材２６はダスト保持力を高めるため、使用の際に清掃パッドに静電電荷を付与する圧電性結晶を含んでいてもよい。このような結晶は一般的に知られており、通常は機械的応力がかけられると電荷を発生する。利用できる材料の例として、ベルリン石（ＡｌＰＯ4）およびオルトリン酸ガリウム（ＧａＰＯ4）などの石英類似結晶、ペロブスカイトもしくはタングステン−ブロンズ構造を含有するセラミック（ＢａＴｉＯ3、ＫＮｂＯ3、ＬｉＮｂＯ3、ＬｉＴａＯ3、ＢｉＦｅＯ3、ＮａxＷＯ3、Ｂａ2ＮａＮｂ5Ｏ5、Ｐｂ2ＫＮｂ5Ｏｉ5）が挙げられるが、これらに限定されない。さらにゴム、ウール、ヘア、ウッドファイバ、およびシルクなど、ポリマー材料によってはある程度の圧電性を示し、これらを利用してもよい。また、石英の数倍の圧電性を示すポリマーポリフッ化ビニリデン（−ＣＨ2−ＣＦ2−）も利用できる。
【００６１】
清掃パッド２８は、ストークス（Ｓｔｏｋｅｓ）ほかの米国特許第５,８５８,１１２号（１９９９年１月１２日発行）およびヘインズ（Ｈａｙｎｅｓ）ほかの米国特許第５,９６２,１１２号（１９９９年１０月５日発行）に開示されるような非接着（ｕｎｂｏｎｄｅｄ）ウェブ材料の一部を含んでもよい。ヴァンダー  ウィーラン（Ｖａｎｄｅｒ  Ｗｉｅｌａｎ）ほかの米国特許第４,７２０,４１５号（１９８８年１月１９日発行）などのその他の材料、あるいはともにニューウェル（Ｎｅｗｅｌｌ）の米国特許第４,９９５,１３３号（１９９１年２月発行）および米国特許第５,６３８,５６９号、ホルト（Ｈｏｌｔ）ほかの米国特許第５,９６０,５０８号（１９９９年１０月５日発行）、シェリー（Ｓｈｅｒｒｙ）ほかの米国特許第６,００３,１９１号（１９９９年１２月２１日発行）に記載されるような任意の超吸収性材料を含んでいてもよい。上記特許文献の全開示内容を参照によって本願明細書に援用する。
【００６２】
一実施形態において、清掃パッド２８は基本重量が１平方メートル当たり約６８グラムのスパンボンデッドファイバ不織布ウェブ（ｓｐｕｎｂｏｎｄ  ｆｉｂｅｒ  ｎｏｎｗｏｖｅｎ  ｗｅｂ）を含んでいてもよい。スパンボンデッドファイバは、各構成要素がファイバの約５０体積％を含む、隣接構成を有する複合繊維を含んでいてもよい。スパンボンデッドファイバは第一および第二のポリプロピレン成分および／またはポリプロピレンを含む第一の成分と、プロピレン−エチレン共重合体を含む第二の成分とを含む。ファイバの不透明性を高めるため、約１％前後の酸化チタンもしくは二酸化チタンをファイバに添加してもよい。スパンボンデッドファイバ不織布ウェブは加熱によりポイント非結合パターン（ａ  ｐｏｉｎｔ  ｕｎｂｏｎｄｅｄ  ｐａｔｔｅｒｎ）を有して結合される。不織布ウェブは１対の逆に回転する（ｃｏｕｎｔｅｒ−ｒｏｔａｔｉｎｇ）結合ロール（ｂｏｎｄｉｎｇ  ｒｏｌｌｓ）により形成されるニップ間を通過することにより、熱と成形圧力の両方を利用して結合される。結合ロールは１つの平坦ロールと１つの彫り込みのあるロールとを含む（ｃｏｍｐｒｉｓｅ）。不織布ウェブの結合領域は彫り込みのあるロールに付与されたパターンに対応する連続パターンを含む。さらに、結合領域はウェブがニップを通過する際にウェブに付与される。結合領域は不織布ウェブの約２７％〜約３５％の領域にわたって形成され、円形非結合領域の反復する非ランダムパターンを形成する。超吸収ポリマー、粉末、ファイバなどを含む、吸収性強化材料もしくは超吸収性材料を清掃パッド２８と組み合わせてもよい。
【００６３】
あるいは、パッド２８はエアレイド（ａｉｒ-ｌａｉｄ）複合体とスパンボンデッドファイバ不織布ウェブとの積層体（ｌａｍｉｎａｔｅ）を含む。不織布ウェブは基本重量が１平方メートル当たり約１４グラムのポリプロピレンの一成分スパンボンデッドファイバを含んでいてもよい。エアレイド（ａｉｒ  ｌａｉｄ）複合体は約８５％〜約９０％のクラフトパルプによる毛羽立ち（ｋｒａｆｔ  ｐｕｌｐ  ｆｕｌｆｆ）と約１０％〜約１５％の短繊維を含んでいてもよい。短繊維はシース-コア構成を有していてもよく、コア構成要素はポリエチレンテレフタレートからなり、シース構成要素はポリエチレンからなる。エアレイド複合体の基本重量は１平方メートル当たり約２００〜約３５０グラムであり、吸収性はグラム当たり約８〜約１１グラムである。
【００６４】
清掃パッド２８は、磨き掃除に適した親水性ファイバ部分（ｐｏｒｔｉｏｎ）もしくは側（ｓｉｄｅ）を含んでいてもよい。さらに、湿式で利用される際に摩擦効率を高めるべく、ナイロンファイバを利用してもよい。清掃パッド２８の一部はデニール毎フィラメント（ｄｐｆ）が約１．０以下のマイクロファイバもしくはウルトラマイクロファイバからなっていてもよい。
【００６５】
上述したように、清掃パッド２８は任意の材料および既知の材料形成工程により作製できる。例えば、織布および不織布材料、ポリマー、ゲル、押出し材料、ラミネート、一体結合されることで共同材料（ｃｏ−ｍａｔｅｒｉａｌ）を形成する積層材料、溶融材料、押出し材料、エアレイ（ａｉｒ  ｌａｙｉｎｇ）などが挙げられる。
【００６６】
あるいは、清掃パッド２８はマイクロカプセル、カプセル化された流体、もしくは液剤（ａｇｅｎｔｓ）を用いることで、清掃用流体の表面への供給を最適化できる。清掃パッド２８の強化面は、磨きもしくは研磨品質を備えていてもよい。強化面は機械的スタンピング、結合、加圧、圧縮、押出し、スプレー、スパッタ、ラミネートまたはその他の表面形成もしくは作用工程により形成できる。上述した各種清掃溶剤は、何らかの追加の刺激により選択的に解放されるよう、マイクロカプセル化されて清掃パッドに含まれていてもよい。なお、マイクロカプセル化され清掃パッドに含まれる各種清掃溶剤は、流体リザーバ内の水や他の薬剤、あるいは圧力により起動されうる。溶剤は乾式浸透されてもよい。化学溶液はパッド２８内もしくはパッド２８上あるいは清掃媒体支持部２６上のポケットまたは気泡内にカプセル化されていてもよい。ポケットは適度な圧力が加えられると破裂し、清掃溶剤を解放すべく設計されてもよい。
【００６７】
なお、清掃システム２０は部品が予め部分的に組み立てられたもしくは組み立てられていない状態で提示されてもよい。清掃システム２０の組み立て時もしくは製造時に、上述のように予め形成されたハンドル部２４の耳４９ａ、４９ｂは、回動部材８２が上述の向きで耳４９ａ、４９ｂ間に挿入される際に強制的に互いに外側に湾曲してもよい。軸８０ａ、８０ｂは末端に画定される（ｄｅｆｉｎｅｄ）回動穴５４に到達するまで、溝５２ａ、５２ｂにより画定されるパスに沿って摺動する。軸８０ａ、８０ｂは穴５４内に嵌合し回動結合部を画定する。清掃パッド２８のスリーブ１１０ａ、１１０ｂは取付け部材１０８ａ、１０８ｂ上に配置され、清掃パッドをシステムに固定する。円形回動部材８２は、清掃パッド支持部材２６のハンドル部２４の長手軸に対する約５５°〜６５°の回転移動に適合する。好適な範囲は、本発明のシステムの別のファイバ長さおよびクロス形状に適合するに当たり理想的である。特に、約６１°の範囲であることが望ましい。清掃パッド支持部材２６が清掃位置（図１）において完全に伸張すると、円形保持タブ９５は保持タブ穴８７内に嵌合し、清掃パッド支持部材２６を清掃位置に保持する。
【００６８】
図１、図３、図４、および図１０は交互位置における本発明の清掃システムを示している。図１は清掃位置における清掃システム２０を示す。上述したように、清掃位置では清掃パッド支持部材２６が前方に伸張し、回動係合タブ３８が回動部材８２の清掃位置切欠き１０２に係合し、保持タブ９５が保持タブ穴８７に嵌合する。これらの係合もしくは保持特性により、少なくとも２．５ｌｂｆの回動力が発生される。この回動力の大きさは、通常のダスト除去、乾燥、あるいは清掃動作の間に経験されるトルクの大きさに関わらず、清掃パッド支持部材２６を完全に伸張した清掃位置に保持するに足る。したがって、清掃位置において、使用者はハンドル部２４を介して清掃システム２０を操作できる。さらに、使用者は流体リザーバ３０に収容された水またはその他の液体を清掃対象面に直接塗布できる。使用者は開口部３２から指を入れてスプレーキャップ６１を押し下げ、リザーバ３０に収容された流体を排出させてもよい。清掃システム２０が清掃位置に配置されていることから、例えばコーヒーテーブル上のダストを除去する際にシステムが水平向きであるとき、清掃パッド２８の裏側領域において液体が清掃対象面に直接塗布される。あるいは、清掃溶剤が窓枠やドア枠などの垂直清掃対象面にスプレーされてもよい。
【００６９】
図４および図１０は第二の液体塗布位置における清掃システム２０を示す。清掃パッド支持部材２６を液体塗布位置へ移動させるには、使用者はハンドル部２４を握り、清掃パッド支持部材２６を図１に示す清掃位置から移動させるために清掃パッド支持部材２６にトルクを付与する必要がある。本発明の係合特性の力を上回る大きさのトルクが付与されると、円形回動部材８２は下方向に回転し液体塗布位置に達する。液体塗布位置において、回動係合タブ３８は回動部材８２の液体塗布切欠き１０４と係合し、清掃パッド支持部材２６を傾斜した液体塗布状態に保持する。図示される実施形態では、液体塗布位置における清掃パッド支持部材２６とハンドル部２４との間の角度θは４５°〜６８°であってもよい。清掃パッド支持部材２６とハンドル部２４との間の角度θは５５°〜６８°であることが望ましく、６３°であることが特に望ましい。この好適な角度は、清掃パッド２８の清掃面１１１の最大表面積に液体塗布を行うため流体リザーバのスプレーパターン（点線で示す）を考慮している。
【００７０】
ダスト除去時または清掃時、使用者は必要に応じて清掃パッド支持部材２６を清掃位置から液体塗布位置へ繰り返し回転させてもよい。あるいは、上述したように、使用者は、単に、清掃システム２０を清掃位置で使用しながら清掃対象面へ液体を直接付与してもよい。
【００７１】
図３は清掃システムの収容位置を図示している。図３に示すように、収容位置では清掃パッド支持部材２６はハンドル部２４の長手軸により画定される平面と略平行となるよう後方に回転される。収容位置において、係合タブ３８は収容位置切欠き１０６と係合し、清掃パッド支持部材２６を折り畳んだ位置に保持する。収容位置にあるとき、清掃システム２０は台所の引き出しやキャビネットなど様々なスペース容易に保管できる。あるいは、システムはハンドル部２４内の開口部３２を利用して壁に掛けることもできる。
【００７２】
上記説明よりわかるように、本発明は清掃パッド支持部材２６を調節する新規な方法を含む。まず、清掃システム２０を用意する。ハンドル部（好適にはハンドル部のみ）を握り、清掃パッド支持部材２６を対象物（例えば壁や床）に押し付け、ハンドル部２４に対して清掃支持部材２６を回転させる。別の実施形態において、回動部材は使用者の手を煩わすことなく清掃支持部材２６を清掃位置に戻すためのねじりばねまたはその他の付勢手段を含んでいてもよい。
【００７３】
図１０は本発明の清掃パッド１２８の別の実施形態を図示している。清掃パッド１２８は上述したものと同様であるが、パッド１２８は清掃面１１１上にテーパ状ファイバ１２９を含む。図１０に示すように、ファイバ１２９はハンドル部２４に最も近いファイバ１２９が最も短くなるようテーパ状とされている。ハンドル部２４から離れるにつれファイバ１２９は徐々に長くなる。ファイバの長さをテーパ状とすることで、流体塗布位置における清掃面１１１の清掃用流体塗布表面積を最大化するよう清掃システム２０を適合させる。
【００７４】
図１２および図１３は清掃システムの追加の別の実施形態を図示している。図１２および図１３に示されるように、前出の実施形態の清掃用流体リザーバ３０に代えて可撓性ポーチ１３０が設けられている。別の実施形態では、前述したように、傾斜した浸漬管１４０を備えるスプレーノズルもしくはキャップ１３４がハンドル部２４に保持されてもよい。使用者はポンプ式浸漬管１４０を備えるポーチの予め形成された位置１３８においてシールに穿孔してもよい。あるいは、使用者はスプレーキャップ１３４をねじ切りしたポーチ装備品１５１に螺合させてもよく、スプレーキャップ１３４は補充作業の際にポーチ１３０に直接係留されてもよい。図１２および図１３に示すように、前出の実施形態のクレードルの代わりに、リビングヒンジ１４１を介してハンドル部２４に取り付けられるスナップフィットカバー１４２が設けられている。カバー１４２はポーチ１３０を清掃システム２０内に固定する。
【００７５】
なお、上述した本発明のシステム２０の部品は別々に製造・販売されてもよいし、清掃システムまたはキットの形で包括的に製造・販売されてもよい。また、本発明はハンドル部２４の回動部材収容キャビティ５０内への取付けが可能な追加の各種構成および部品を考慮している。上記清掃パッド支持部材２６に変えて各種交換可能な別の清掃用具を利用してもよい。別の清掃用具は、好適なハンドル部２４と交換して使用できるように、汎用回動部材もしくは好適な実施形態で説明したその他の取付け部材を含む、モジュール設計された支持部材を含むことが望ましい。例えば、他の清掃用具として窓、鏡面またはその他のガラス構造体を掃除するためのスキージ、リントローラなどの軟らかい表面用クリーナ、ガラスクリーナ、インデックス補給ロール、虫たたき、犬用ブラシまたはその他のグルーミング用具、洗いブラシまたはその他の清掃用具などが挙げられるが、これらに限定されない。数多くの他の回動自在もしくは移動可能に取り付けられる清掃用具も本発明の範囲に含まれる。
【００７６】
さらに、好適な実施形態では清掃パッド支持部２６に回動可能に取り付けられるハンドル部２４を例示したが、本発明はかかる構成に限定されない。例えば、本発明の清掃システム２０は清掃用流体の表面へのスプレーのみを可能とする単一の非可動部品として構成されてもよい。同様に、清掃パッド支持部は好適な実施形態において記述したようにハンドル部に回動可能に取り付けられなくてもよい。ハンドル部に対して清掃パッド支持部２６を移動できる多くの他の実施形態が本発明の範囲に含まれる。あるいは、清掃パッド支持部材２６とハンドル部２４とは摺動自在に接続され、ヒンジにより接続され、湾曲または他の方法にて各種所望の配置に移動可能に接続される。清掃パッド支持部材２６の１８０°回転を可能とするため、ばねを備えたロックスイッチを利用してもよい。清掃パッド支持部材２６は３６０°回転を可能とする、中央に配置される回動部材を含んでいてもよい。あるいは、ハンドル部は清掃パッド支持部材２６に対し３６０°回転可能であってもよい。さらに、ハンドル部２４は、通常の使用者の届く範囲の外側にある領域のダスト除去または清掃を可能とする一体型もしくは取付け可能な入れ子式伸張部を含んでいてもよい。
【００７７】
さらに、上述のハンドル部を設置しなくてもよく、流体リザーバが清掃システムのハンドルを形成すべく構成されてもよい。回動可能な取付け部材は流体リザーバの上端に取り付けられる。さらに、上述のスプレーボトルは物理的に別体のモジュールであるが、スプレーボトルが関連するハンドル部に直接組み込まれ、あるいはハンドル部を形成してもよいことは明白である。リザーバは流体が充填される際に取り外せるプラグを有していてもよい。
【００７８】
あるいは、清掃パッド支持部はねじ接続によりハンドル部に接続されていてもよい。このような配置とすることで本発明の範囲内の多くの他の清掃用具の着脱が容易となる。あるいは、清掃パッド支持部は、各種清掃機能に適合すべく垂直方向または水平方向に回転するよう構成されていてもよい。さらに、清掃システムは、さらなる効果を発揮し、且つ消費者の手を煩わせないための電動回転ヘッドを含んでいてもよい。
【００７９】
流体リザーバを例に挙げて清掃用流体輸送システムを説明したが、清掃対象面または清掃媒体に清掃用流体を輸送するための他の構成も本発明の範囲に含まれる。例えば、流体リザーバは清掃用流体が清掃パッドまたはクロスの背面にスプレーもしくは塗布され、ウィッキング作用によりクロスに浸透移動することが可能であるように構成されてもよい。あるいは、清掃システムの取付け部材もしくは歯１０８ａ、１０８ｂは、清掃用流体が取付け部材１０８ａ、１０８ｂを通じて清掃パッド２８上に排出されうるよう、清掃用流体リザーバと流体的に連通してもよい。このような輸送システムは取付け部材の先端、底部、頂部あるいは横側を通して清掃用流体を輸送できる。あるいは、液体輸送システムは清掃用流体を清掃媒体上にスプレーすべく構成されたフリップアウトノズル（ｆｌｉｐ  ｏｕｔ  ｎｏｚｚｌｅ）もしくはリザーバを含んでいてもよい。このような構成とすることで回動支持部材が不要となる。
【００８０】
本発明を実施するための、発明者らにより考慮された最良の形態を開示したが、本発明の実施はこれらに限定されない。本発明の概念の基礎をなす精神から逸脱することなく本発明の特徴の追加、修正および再配置を行えることは明らかである。
【００８１】
さらに、本願を通じて述べたように、個々の構成要素は開示された形状で作製される必要はなく、また開示された構成で組み立てられなくてもよい。清掃用具−支持部に取り付けられる清掃用流体リザーバを含む清掃システムを提供するため、実質上あらゆる形状で提供でき、実質上あらゆる構成で組み立てることができる。開示された各実施形態の開示されたあらゆる特徴は、これらの特徴が相互に相容れない場合を除き、他の開示された実施形態の開示された特徴と組み合わされたり置き換えられたりすることができる。
【００８２】
添付の請求の範囲はこれらの追加、修正、再配置を全て含むことが意図されている。本発明の目的にかなった実施形態は添付の請求の範囲により区別される。
【図面の簡単な説明】
【００８３】
【図１】清掃システムが第一の清掃位置すなわち９時の位置で示された、湿式または乾式清掃を行うことが可能な、組み立てられた清掃システムの第一の実施形態の斜視図
【図２】図１に示す清掃システムの部品の分解斜視図
【図３】収容位置すなわち３時の位置で示される清掃システムの側面図
【図４】清掃パッド支持部と人間の指を点線で示す、液体塗布位置すなわち５時の位置で示された清掃システムの側面図
【図５】流体収容クレードルの好適な構成を示す、清掃システムの下側の斜視図
【図６】清掃システムの、図１〜図５に示す装置の長手軸に沿った垂直断面図
【図７】図６の線５-５に沿った断面図
【図８】図６の線６-６に沿った断面図
【図９】図６の線７-７に沿った断面図
【図１０】清掃システムに取り付けられた清掃パッドの別の実施形態をさらに示す、液体塗布位置における清掃システムの側面図
【図１１】図１〜図５に示す本発明の清掃システムの回動アセンブリの部分分解斜視図
【図１２】清掃システムの別の実施形態の部品の分解斜視図
【図１３】システムの長手軸に沿った、図１２に示す別の清掃システムの垂直断面図
【図１】
2008528187.tif 000003
【図２】
2008528187.tif 000004
【図３】
2008528187.tif 000005
【図４】
2008528187.tif 000006
【図５】
2008528187.tif 000007
【図６】
2008528187.tif 000008
【図７】
2008528187.tif 000009
【図８】
2008528187.tif 000010
【図９】
2008528187.tif 000011
【図１０】
2008528187.tif 000012
【図１１】
2008528187.tif 000013
【図１２】
2008528187.tif 000014
【図１３】
2008528187.tif 000015
【国際調査報告】
2008528187.tif 000016
2008528187.tif 000017
2008528187.tif 000018